(57)【特許請求の範囲】
【請求項１】
光源を備えた照明器具本体に、折り返し屈曲自在な長尺材を突設し、この長尺材の突出先端部に磁力により吸着する吸着部を設け、この吸着部が吸磁止着可能な被吸着部を前記照明器具本体に設けて、この被吸着部に、前記長尺材を折り返し形状に変形させて掛下げ箇所に掛けたこの長尺材先端部の前記吸着部を吸磁止着することで、前記照明器具本体を掛下げ箇所に掛下げ設置し得るように構成し、前記被吸着部は、前記照明器具本体の頂部に設けて、この被吸着部に前記吸着部を吸着することにより、前記長尺材を前記照明器具本体の上方で折り返し形状に変形させて掛下げ箇所に掛下げ設置し得るように構成したことを特徴とする照明器具。
【請求項２】
前記照明器具本体の外面に、前記吸着部が嵌合可能な受凹部を設けると共に、この受凹部に前記吸着部が吸磁止着可能な吸磁材を設けて、この吸磁材を有する受凹部を、前記吸着部が嵌合状態で吸磁止着可能な前記被吸着部としたことを特徴とする請求項１記載の照明器具。
【請求項３】
前記吸着部は、磁力により吸着可能な取付箇所に吸磁止着し得る形状に形成したことを特徴とする請求項１，２のいずれか１項に記載の照明器具。
【発明の詳細な説明】
【技術分野】
【０００１】
本発明は、色々な場所に取り付けて使用可能な照明器具に関するものである。
【背景技術】
【０００２】
室内照明や、アウトドア用のランタン照明や、災害時の非常用照明などとして使用可能な小型の照明器具が従来から実施されている（例えば、特許文献１参照。）。
【先行技術文献】
【特許文献】
【０００３】
【特許文献１】意匠登録第１４３４３１８号公報
【発明の概要】
【発明が解決しようとする課題】
【０００４】
本発明は、この種の照明器具の改良に係るもので、据置き使用だけでなく、簡単な操作で色々な場所に掛下げて使用することも可能となる実用性に優れた照明器具を提供するものである。
【課題を解決するための手段】
【０００５】
添付図面を参照して本発明の要旨を説明する。
【０００６】
光源１を備えた照明器具本体２に、折り返し屈曲自在な長尺材３を突設し、この長尺材３の突出先端部に磁力により吸着する吸着部４を設け、この吸着部４が吸磁止着可能な被吸着部５を前記照明器具本体２に設けて、この被吸着部５に、前記長尺材３を折り返し形状に変形させて掛下げ箇所６に掛けたこの長尺材３先端部の前記吸着部４を吸磁止着することで、前記照明器具本体２を掛下げ箇所６に掛下げ設置し得るように構成し、前記被吸着部５は、前記照明器具本体２の頂部に設けて、この被吸着部５に前記吸着部４を吸着することにより、前記長尺材３を前記照明器具本体２の上方で折り返し形状に変形させて掛下げ箇所６に掛下げ設置し得るように構成したことを特徴とする照明器具に係るものである。
【０００７】
また、前記照明器具本体２の外面に、前記吸着部４が嵌合可能な受凹部７を設けると共に、この受凹部７に前記吸着部４が吸磁止着可能な吸磁材８を設けて、この吸磁材８を有する受凹部７を、前記吸着部４が嵌合状態で吸磁止着可能な前記被吸着部５としたことを特徴とする請求項１記載の照明器具に係るものである。
【０００８】
また、前記吸着部４は、磁力により吸着可能な取付箇所９に吸磁止着し得る形状に形成したことを特徴とする請求項１，２のいずれか１項に記載の照明器具に係るものである。
【発明の効果】
【０００９】
本発明は上述のように構成したから、据置き使用のみならず、適当な掛下げ箇所に掛下げ設置できるために多用途に使用でき、しかもこの掛下げ設置は、長尺材を折り返し形状に変形させて掛下げ箇所に掛けた上でこの長尺材先端部の吸着部を照明器具本体の被吸着部に吸磁止着するだけで可能であるから、この掛下げ作業を容易に行うことができるなど、極めて実用性に優れた照明器具となる。
【００１０】
また、本発明においては、折り返し形状に変形させた長尺材が照明器具本体の上方に位置することになるため、この長尺材により掛下げ箇所に対して照明器具本体をバランス良く掛下げ設置可能となる一層実用性に優れた構成の照明器具となる。
【００１１】
また、請求項２記載の発明においては、吸着部を被吸着部に位置決め状態で吸磁止着できるため、折り返し形状の長尺材による掛下げ設置状態が一層安定的に維持されることになる極めて実用性に優れた構成の照明器具となる。
【００１２】
また、請求項３記載の発明においては、吸着部を様々な取付箇所に吸着させることができ、これにより照明器具本体を適当な取付箇所に吊り下げ設置することも可能となる一層実用性に優れた構成の照明器具となる。
【図面の簡単な説明】
【００１３】
【図１】本実施例の掛下げ設置状態を示す斜視図である。
【図２】本実施例の吸着部を被吸着部から離間させた状態を示す一部を省略した斜視図である。
【図３】本実施例を示す側面図である。
【図４】本実施例の吊下げ設置状態を示す斜視図である。
【図５】本実施例の、平坦吸着面を利用した吊下げ設置状態を示す側面図である。
【図６】本実施例の他の掛下げ設置状態を示す斜視図である。
【発明を実施するための形態】
【００１４】
好適と考える本発明の実施形態を、図面に基づいて本発明の作用を示して簡単に説明する。
【００１５】
照明器具本体２を適当な場所に据置き、光源１を点灯させて照明器具として使用することができるが、本発明は、照明器具本体２を適当な掛下げ箇所６に掛下げ設置して使用することもできる。
【００１６】
即ち、照明器具本体２に突設した長尺材３を折り返し形状に変形させて適宜な掛下げ箇所６に掛けて、この長尺材３先端部の吸着部４を照明器具本体２の被吸着部５に吸磁止着すると、前記照明器具本体２が掛下げ箇所６に掛下げ設置されることになる。
【００１７】
従って、このように据置きして使用することも掛下げ設置して使用することも可能な本発明の照明装置は、屋内使用のみならず、屋外やアウトドアレジャーなどの多用途に使用でき、しかも、掛下げ設置に際しては、折り返し屈曲自在な長尺材３を掛下げ箇所６に掛ける構成であるから、掛下げ箇所６を選ばず色々な場所に掛下げ設置可能である上、この掛下げ設置作業は、上記の非常に容易な操作で行われることになる。
【実施例】
【００１８】
本発明の具体的な実施例について図面に基づいて説明する。
【００１９】
本実施例は、携帯も可能な小型の照明器具（ランタン照明）に適用している。
【００２０】
本実施例の照明器具本体２は、光源１を備えた円板状のベース部10と、このベース部10の下部に設ける円筒状のカバー部11とから成る構成としている。
【００２１】
具体的には、図１〜図３に示すように、合成樹脂製の前記ベース部10の下部中央に、ＬＥＤを採用した前記光源１を下方へ光照射可能に配設し、このベース部10の下部に、前記光源１を囲繞するようにして半透明の合成樹脂製の前記カバー部11を垂設状態に設けた構成としている。
【００２２】
また、このベース部10とカバー部11とで成る照明器具本体２は、略球形を呈する形状に構成すると共に、この照明器具本体２のカバー部11の下端を水平方向にカットしたような形状に構成して、このカバー部11の水平下端縁を載置縁として適宜な据置き場所に安定的に設置（載置）し得るようにしている。
【００２３】
尚、図示を省略しているが、ベース部10に電源スイッチを設けて、この電源スイッチの操作により点灯・消灯制御や、常時点灯・点滅切り替え、照度切り替えなどを行えるように構成することが好ましい。
【００２４】
本実施例は、この照明器具本体２のベース部10の頂部付近に、折り返し屈曲自在な長尺材３を突設し、この長尺材３の突出先端部に磁力により吸着する吸着部４を設けている。
【００２５】
また、長尺材３は、軟質な合成樹脂製であって細長い帯状に樹脂成形し、前記照明器具本体２の直径寸法と同等程度の長さ寸法を有する構成としている。尚、長尺材３は、伸縮する構成としても良い。
【００２６】
更にこの長尺材３の先端部を球状に成形すると共に、この球状先端部内に磁石12を埋設状態に設けて、この球状先端部を前記吸着部４としている（図３参照。）。
【００２７】
従って、この吸着部４は、磁力により吸着可能な取付箇所９（例えば金属製の取付箇所９）に対して吸着可能であり、この吸着部４を直接取付箇所９に吸着させることによって照明器具本体２を取付箇所９に吊下げ設置可能な構成としている（図４参照。）。
【００２８】
また、本実施例の吸着部４は、表面の一部を平坦面に形成して、この平坦面を壁面などの平坦な取付箇所９への吸着面として好適な平坦吸着面13としている（図５参照。）。更に詳しくは、吸着部４の、後述する被吸着部５に吸着する表面と反対側の表面を前記平坦吸着面13に形成している。
【００２９】
本実施例は、この吸着部４が吸磁止着可能な被吸着部５を、前記照明器具本体２の頂部付近に、前記吸着部４と小間隔を置いた隣接状態（並設状態）に設けて、この被吸着部５に、前記長尺材３を折り返し形状に変形させて掛下げ箇所６に掛けたこの長尺材３先端部の前記吸着部４を吸磁止着することで、この折り返し状の長尺材３を介して前記照明器具本体２が掛下げ箇所６に掛下げ設置されるように構成している。
【００３０】
即ち、図１，図３に示すように、前記照明器具本体２の上方に、折り返し形状の前記長尺材３と前記ベース部10（照明器具本体２）の頂部とで成る環状の掛止部を形成し、この掛止部を適当な掛下げ箇所６に掛下げ設置し得るように構成している。
【００３１】
具体的には、前記被吸着部５は、前記照明器具本体２の頂部、即ち前記ベース部10の頂部付近の外面（表面）に、前記球状の吸着部４が嵌合可能な受凹部７を設けると共に、この受凹部７に吸着部４が吸磁止着可能な吸磁材８を設けた構成としている。
【００３２】
更に詳しくは、図面の受凹部７は、前記吸着部４の外形状に同調する凹湾曲面状（凹んだ球面状）に形成し、この受凹部７の下方のベース部10内に金属板を採用した前記吸磁材８を埋設状態に設けた構成として、この受凹部７に対し吸着部４が面接嵌合状態（位置決め状態）で安定的に吸磁止着し得るようにしている。尚、吸磁材８は、磁石を採用しても良い。
【００３３】
従って、このように構成した本実施例によれば、適当な掛下げ箇所６に掛下げ設置して使用することも可能であり、しかも、掛下げ使用に際しては、折り返し屈曲自在な長尺材３を掛下げ箇所６に掛けるだけであるから掛下げ箇所６を選ばず、例えば適当な横桟やフックやループや穴などの様々な場所を掛下げ箇所６として掛下げ可能である上、この掛下げ設置作業は、長尺材３を掛下げ箇所６に掛けて吸着部４を照明器具本体２の被吸着部５に吸着するだけの非常に容易な操作で可能である。
【００３４】
また、図６は、本実施例の他の使用方法を示している。具体的には、磁力を通す薄材（例えば合成繊維製や布製など）を掛下げ箇所６とし、この掛下げ箇所６を吸着部４と被吸着部５とで挟み込むことにより照明器具本体２を掛下げ箇所６に掛下げ設置した場合を示している。即ち、例えば、タープテントの縁部を掛下げ箇所６とし、この掛下げ箇所６を吸着部４と被吸着部５とで挟み込むようにして吸着部４を被吸着部５に吸磁止着することにより、照明器具本体２をタープテントの縁部に掛下げ設置して使用することも可能である。
【００３５】
尚、本発明は、本実施例に限られるものではなく、各構成要件の具体的構成は適宜設計し得るものである。
【符号の説明】
【００３６】
１  光源
２  照明器具本体
３  長尺材
４  吸着部
５  被吸着部
６  掛下げ箇所
７  受凹部
８  吸磁材
９  取付箇所
【図１】
0005698169.tif 000002
【図２】
0005698169.tif 000003
【図３】
0005698169.tif 000004
【図４】
0005698169.tif 000005
【図５】
0005698169.tif 000006
【図６】
0005698169.tif 000007